(57)【特許請求の範囲】
【請求項１】
電荷を帯びたミストを生成するミスト生成部と、金属微粒子を生成する複数の金属微粒子生成部と、前記ミスト生成部によって生成されたミストが通過するミスト吹出口と、前記金属微粒子生成部によって生成された金属微粒子が通過する複数の金属微粒子吹出口と、を備える髪ケア装置であって、
前記ミスト吹出口の周辺部は、当該ミスト吹出口を正面から視た状態で、ミスト吹出口を通る任意の仮想線によって第１の領域と第２の領域とに区画されており、
複数の前記金属微粒子吹出口は、前記第１の領域に形成された金属微粒子吹出口と第２の領域に形成された金属微粒子吹出口とを有することを特徴とする髪ケア装置。
【請求項２】
前記第１の領域に形成された金属微粒子吹出口のいずれか１つの金属微粒子吹出口と前記第２の領域に形成された金属微粒子吹出口のいずれか１つの金属微粒子吹出口とが、前記ミスト吹出口が中心となるように並設されていることを特徴とする請求項１に記載の髪ケア装置。
【請求項３】
前記ミスト吹出口の下流側に第１の整流部が設けられていることを特徴とする請求項１または請求項２に記載の髪ケア装置。
【請求項４】
前記ミスト生成部と、当該ミスト生成部と隣り合う前記金属微粒子生成部との間には、仕切部が設けられていることを特徴とする請求項１〜３のうちいずれか１項に記載の髪ケア装置。
【請求項５】
前記ミスト吹出口の上流側に第２の整流部が設けられていることを特徴とする請求項１〜４のうちいずれか１項に記載の髪ケア装置。
【請求項６】
前記ミスト生成部は、放電極と、当該放電極を冷却する冷却装置と、当該冷却装置によって前記放電極を冷却する際に発生する熱を放熱する放熱フィンと、を備える静電霧化装置であり、
前記放熱フィンには、分流手段が設けられていることを特徴とする請求項１〜５のうちいずれか１項に記載の髪ケア装置。
【発明の詳細な説明】
【技術分野】
【０００１】
本発明は、髪ケア装置に関する。
【背景技術】
【０００２】
従来、髪ケア装置として、電荷を帯びたミストを生成するミスト生成部と、金属微粒子およびマイナスイオンを生成する金属微粒子生成部と、を備えたヘアドライヤが知られている（例えば特許文献１参照）。
【０００３】
この特許文献１では、ミスト生成部を左側、金属微粒子生成部を右側に並列に配置し、電荷を帯びたミストおよびマイナスイオンを吹き出して髪にあてることで髪ケア効果の向上を図っている。
【先行技術文献】
【特許文献】
【０００４】
【特許文献１】特開２０１１−０９８１０４号公報
【発明の概要】
【発明が解決しようとする課題】
【０００５】
しかしながら、ミストもマイナスイオンも電荷を帯びているため、上記従来の構成では、マイナスイオンの影響によりミストが直進性を失って離散してしまい、髪に届きにくくなってしまうおそれがある。このように、ミストが髪に届きにくくなると、髪ケア効果が低下してしまう。
【０００６】
そこで、本発明は、髪ケア効果をより高めることのできる髪ケア装置を得ることを目的とする。
【課題を解決するための手段】
【０００７】
本発明の第１の特徴は、電荷を帯びたミストを生成するミスト生成部と、金属微粒子を生成する複数の金属微粒子生成部と、前記ミスト生成部によって生成されたミストが通過するミスト吹出口と、前記金属微粒子生成部によって生成された金属微粒子が通過する複数の金属微粒子吹出口と、を備える髪ケア装置であって、前記ミスト吹出口の周辺部は、当該ミスト吹出口を正面から視た状態で、ミスト吹出口を通る任意の仮想線によって第１の領域と第２の領域とに区画されており、複数の前記金属微粒子吹出口は、前記第１の領域に形成された金属微粒子吹出口と第２の領域に形成された金属微粒子吹出口とを有することを要旨とする。
【０００８】
本発明の第２の特徴は、前記第１の領域に形成された金属微粒子吹出口のいずれか１つの金属微粒子吹出口と前記第２の領域に形成された金属微粒子吹出口のいずれか１つの金属微粒子吹出口とが、前記ミスト吹出口が中心となるように並設されていることを要旨とする。
【０００９】
本発明の第３の特徴は、前記ミスト吹出口の下流側に第１の整流部が設けられていることを要旨とする。
【００１０】
本発明の第４の特徴は、前記ミスト生成部と、当該ミスト生成部と隣り合う前記金属微粒子生成部との間には、仕切部が設けられていることを要旨とする。
【００１１】
本発明の第５の特徴は、前記ミスト吹出口の上流側に第２の整流部が設けられていることを要旨とする。
【００１２】
本発明の第６の特徴は、前記ミスト生成部は、放電極と、当該放電極を冷却する冷却装置と、当該冷却装置によって前記放電極を冷却する際に発生する熱を放熱する放熱フィンと、を備える静電霧化装置であり、前記放熱フィンには、分流手段が設けられていることを要旨とする。
【発明の効果】
【００１３】
本発明によれば、ミスト吹出口の周辺部におけるミスト吹出口を通る任意の仮想線によって区画される第１の領域と第２の領域とに、少なくとも１つのイオン吹出口がそれぞれ形成されるようにしている。そのため、第１の領域に形成されたイオン吹出口および第２の領域に形成されたイオン吹出口から吹き出されるマイナスイオンの電荷によって、ミストが離散してしまうのを抑制することができる。その結果、ミストの直進性が向上してミストが髪に届きやすくなり、髪ケア効果をより高めることができる。
【図面の簡単な説明】
【００１４】
【図１】本発明の一実施形態にかかる髪ケア装置としてのヘアドライヤの側面図である。
【図２】本発明の一実施形態にかかる髪ケア装置としてのヘアドライヤの斜視図である。
【図３】本発明の一実施形態にかかる髪ケア装置としてのヘアドライヤを吹出口側から見た正面図である。
【図４】本発明の一実施形態にかかる髪ケア装置としてのヘアドライヤの断面図である。
【図５】本発明の一実施形態にかかる髪ケア装置としてのヘアドライヤの本体部内で金属微粒子生成部とミスト生成部が設けられる部分を示す平面図である。
【図６】本発明の一実施形態にかかる髪ケア装置としてのヘアドライヤの本体部内で金属微粒子生成部とミスト生成部が設けられる部分を吹出口側から見た正面図である。
【図７】図６の金属微粒子生成部とミスト生成部が設けられる部分を拡大して示す正面図である。
【図８】図４のミスト生成部が設けられる部分を拡大して示す断面図である。
【図９】金属微粒子生成部とミスト生成部からマイナスイオンおよびミストが吹き出す状態を模式的に示す説明図である。
【図１０】図４のミスト生成部が設けられる部分の変形例を示す拡大断面図である。
【図１１】図５の金属微粒子生成部とミスト生成部が設けられる部分の変形例を示す平面図である。
【図１２】金属微粒子生成部とミスト生成部の他の配置方法を模式的に示す図である。
【発明を実施するための形態】
【００１５】
以下、本発明の好適な実施形態について図面を参照しながら説明する。
【００１６】
本実施形態にかかる髪ケア装置としてのヘアドライヤ１は、使用者が手で握る部分としての把持部１ａと、把持部１ａと交差する方向に結合された本体部１ｂとを備えており、使用時には把持部１ａと本体部１ｂとで略Ｔ字状あるいは略Ｌ字状（本実施形態では略Ｔ字状）の外観を呈するように構成されている。把持部１ａの突出端部からは、電源コード２が引き出されている。また、把持部１ａは、本体部１ｂ側の根元部１ｃと先端部１ｄとに分割されており、これら根元部１ｃと先端部１ｄとが、連結部１ｅを介して回動可能に連結されている。先端部１ｄは、本体部１ｂに沿う位置まで折り畳むことができるようになっている。
【００１７】
ヘアドライヤ１の外壁をなすケース３は、複数の分割体を継ぎ合わせて構成されている。ケース３の内部には空洞が形成されており、この空洞内に、各種電気部品が収容されている。
【００１８】
本体部１ｂの内部には、その長手方向（図４の左右方向）の一方側（右側）の入口開口４ａから出口開口４ｂに至る風洞４が形成されており、この風洞４内に収容されたファン５を回転させることによって空気流Ｗ１が形成される。すなわち、空気流Ｗ１は、外部から入口開口４ａを介して風洞４内に流入し、当該風洞４内を通って出口開口４ｂから外部に排出される。
【００１９】
また、本体部１ｂにおいて、ケース３の外筒３ａの内部には、略円筒状の内筒６が設けられており、空気流Ｗ１はこの内筒６の内側を流れるようになっている。内筒６の内側では、最も上流側にファン５が配置され、その下流側にファン５を駆動するモータ７が配置され、モータ７のさらに下流側に加熱機構としてのヒータ８が配置されている。ヒータ８を作動させたときには、出口開口４ｂから温風が吹き出されることになる。なお、本実施形態では、ヒータ８は、帯状かつ波板状の電気抵抗体を内筒６の内周に沿って巻回して配置したものとして構成されているが、かかる構成には限定されない。
【００２０】
そして、本体部１ｂ内で、ケース３と内筒６との間に形成された空洞９に、２つ（複数）の金属微粒子生成部（マイナスイオン生成部）３０，４０や、ミスト生成部５０、ミスト生成部５０に電圧を印加する電圧印加回路１２等が収容されている。また、空洞９の電圧印加回路１２が収容された部位とは別の部位には、金属微粒子生成部３０，４０に電圧を印加する電圧印加回路（図示せず）が収容されている。
【００２１】
電圧印加回路１２および金属微粒子生成部３０，４０に電圧を印加する電圧印加回路（図示せず）は、把持部１ａ内、または本体部１ｂ内で把持部１ａの延長線上となる領域に配置するのが好適である。使用者が把持部１ａを持ったときに、電圧印加回路１２および電圧印加回路（図示せず）の質量に起因する回転モーメントを小さくして、使用者の手に作用する負荷を小さくするためである。
【００２２】
また、これら電圧印加回路１２および電圧印加回路（図示せず）を、内筒６を挟んで相互に反対側となる位置に配置するのが好適である。こうすれば、電圧印加回路１２と電圧印加回路（図示せず）との相互干渉による電圧の低下や不安定化等の不具合を抑制することができる。
【００２３】
さらに、本実施形態では、空洞９の側面部分（空洞９の電圧印加回路１２が収容された部位とは別の部位）に、温風と冷風の切り換えや動作モード等を行うスイッチ部（図示せず）が収容されている。
【００２４】
また、把持部１ａの先端部１ｄ内の空洞には、電源のＯＮとＯＦＦとの切り換え等を行う別のスイッチ部１６が収容されている。これら電気部品同士は、金属導体等からなる芯線を絶縁性樹脂等で被覆したリード線１７によって接続されている。なお、金属微粒子生成部３０に繋がるリード線１７、金属微粒子生成部４０に繋がるリード線１７およびミスト生成部５０に繋がるリード線１７は、相互に交叉させることなく極力離間させて配索するのが好適である。それぞれのリード線１７を流れる電流の相互干渉によって、金属微粒子生成部３０，４０あるいはミスト生成部５０で所望の電圧が得られなくなったり、電圧が不安定になったりするのを抑制するためである。
【００２５】
また、温風と冷風の切り換えや動作モード等を行うスイッチ部（図示せず）は、ケース３の表面を切り欠いて一体に形成した操作子１９を操作することで、内部接点の開閉状態を切り換えることができるように構成されている。そして、操作子１９の上方には、現在選択されているモードを表示する表示部１４が形成されている。
【００２６】
また、スイッチ部１６は、ケース３の表面に露出した操作子１８を操作することで、内部接点の開閉状態を切り換えることができるように構成されている。
【００２７】
内筒６は、筒状部６ａと、筒状部６ａから径方向外側に向けて伸びて周方向に分散して配置された複数の支持リブ６ｂ（図４では一箇所のみ図示）と、支持リブ６ｂを介して筒状部６ａに接続され当該筒状部６ａの軸方向と略直交する方向に張り出すフランジ部６ｃと、を有している。筒状部６ａとフランジ部６ｃとの間には間隙ｇ１が形成されており、この間隙ｇ１を介して空洞９内に空気流Ｗ１の一部が分岐されて流入し、分岐流Ｗ２が形成されている。なお、分岐流Ｗ２の空洞９内への導入口となる間隙ｇ１は、ファン５の下流でありかつヒータ８の上流側となる位置に設けられている。したがって、分岐流Ｗ２は、ヒータ８によって加熱される前の、比較的冷たい空気流となる。
【００２８】
そして、分岐流Ｗ２の一部はさらに分岐されて分岐流Ｗ３となっている。この分岐流Ｗ３は、後述する金属微粒子吹出口２０ａ，２０ｂやミスト吹出口２０ｃを通過せず、内筒６とケース３との間を通って出口開口４ｂの外周部分から吹き出す比較的冷たい空気流となっている。
【００２９】
ケース３には、空洞９の出口開口４ｂ側となる位置に、楕円形の貫通孔３ｂが形成されており、この貫通孔３ｂを絶縁性の合成樹脂材料からなるカバー２０で塞いである。カバー２０には、金属微粒子吹出口（イオン吹出口）２０ａ，２０ｂとミスト吹出口２０ｃとがそれぞれ独立して形成されている。カバー２０は、金属微粒子あるいはミストによる帯電を抑制するため、ケース３よりも導電性を低くするのが好適である。カバー２０が帯電すると、その電荷によって、金属微粒子生成部３０，４０やミスト生成部５０から電荷を帯びた金属微粒子およびマイナスイオンやミストが放出されにくくなるからである。カバー２０の帯電を抑制するためには、帯電を起こしにくい材料、例えば、ＰＣ（ポリカーボネート）樹脂を用いてカバー２０を形成し、カバー２０の材質を帯電を起こしにくい材質とするのが好ましい。なお、この部分では、カバー２０がヘアドライヤ１の外壁を成している。
【００３０】
また、本実施形態では、金属微粒子吹出口２０ａ，２０ｂの孔径を、ミスト吹出口２０ｃの孔径より小さくしてある。すなわち、ミスト吹出口２０ｃを介してのミスト生成部５０のメンテナンスや状態の確認等をより容易に行わせるとともに、金属微粒子吹出口２０ａ，２０ｂを介しての手指や道具等の誤進入を抑制してある。
【００３１】
また、カバー２０の内側にはリブ（突部）２１が設けられており、このリブ（突部）２１を後述するミスト生成部５０の放電対向電極（第２電極）５２に当接させることで、カバー２０の除電を行うようにしている。
【００３２】
本実施形態では、カバー２０を組み付ける際に、リブ（突部）２１に放電対向電極（第２電極）５２を圧入することで、放電対向電極（第２電極）５２の前面５２ｇおよび側面５２ｈにリブ（突部）２１を面接触させている。
【００３３】
金属微粒子生成部３０，４０は、導電性を有する金属材料によって形成される放電極（第１電極）３２，４２および放電対向電極（第２電極）３３，４３を有している。そして、これら放電極３２，４２と放電対向電極３３，４３との間に電圧印加回路（図示せず）によって高電圧（本実施形態では、−１ｋＶ〜−３ｋＶ）を印加して放電（コロナ放電等）を生じさせ、その放電作用によって放電極３２，４２や放電対向電極３３，４３等から金属微粒子（金属の分子やマイナスイオン等）を放出させるものである。
【００３４】
この金属微粒子生成部３０，４０は、本実施形態では、ほぼ同一の形状に形成されているが、金属微粒子生成部３０，４０の形状がそれぞれ異なるようにしてもよい。
【００３５】
放電極３２，４２は、極細の線材として構成され、その幅（直径）を、１０〜４００［μｍ］（好適には３０〜３００［μｍ］、より一層好適には５０〜２００［μｍ］）に設定してある。なお、断面形状としては、円形、楕円形、多角形形状等、各種採用することができる。
【００３６】
また、放電極３２，４２は、例えば、遷移金属（例えば、金、銀、銅、白金、亜鉛、チタン、ロジウム、パラジウム、イリジウム、ルテニウム、オスミウム等）の単体、合金、あるいは遷移金属をメッキ処理した部材等として構成することができる。金属微粒子生成部３０，４０で生成され放出された金属の微粒子に、金や、銀、銅等が含まれている場合、当該金属の微粒子によって抗菌作用を生じさせることができる。また、金属の微粒子に、白金、亜鉛、チタン等が含まれている場合、当該金属の微粒子によって抗酸化作用を生じさせることができる。なお、白金の微粒子は、抗酸化作用が極めて高いことが判明している。また、金属微粒子生成部３０，４０は、放電作用によってイオン（例えばマイナスイオン、例えばＮＯ２−、ＮＯ３−等）を生じさせ、このイオンを、放電極３２，４２や、放電対向電極３３，４３、他の金属材料や金属成分を含む部材等に衝突させることで、金属微粒子を生成するものであってもよい。すなわち、放電対向電極３３，４３や上記他の部材を、上記遷移金属を含む材料によって構成し、これらから金属微粒子を放出させるようにしてもよい。
【００３７】
放電対向電極３３，４３は、図７に示すように、略矩形状の基体部３３ａ，４３ａと、基体部３３ａ，４３ａから突設される端子部３３ｂ，４３ｂとを有している。
【００３８】
基体部３３ａ，４３ａの略中央位置には、金属微粒子の放出口となる円形状の開口部３３ｃ，４３ｃが形成されている。図７に示すように、正面視では、放電極３２，４２は、開口部３３ｃ，４３ｃのほぼ中心に配置される。一方、端子部３３ｂ，４３ｂには、リード線１７を挿通して結線するための貫通孔３３ｄ，４３ｄが穿設されている。
【００３９】
上記構成の金属微粒子生成部について発明者らが鋭意研究を重ねた結果、白金微粒子を毛髪等に供給して毛髪に抗酸化作用を付与し、毛髪等のダメージを回復させる際に、白金微粒子に加えて亜鉛微粒子を毛髪等に供給すると毛髪等のダメージをより効果的に回復できることが判明した。
【００４０】
そこで、本実施形態では、金属微粒子生成部３０の放電極３２に含まれる金属を白金、金属微粒子生成部４０の放電極４２に含まれる金属を亜鉛とした。なお、白金を放電極４２に、亜鉛を放電極３２に含ませるようにしてもよい。
【００４１】
ミスト生成部５０は、導電性を有する金属材料によって形成される放電極（第１電極）５１および放電対向電極（第２電極）５２を有している。そして、これら放電極５１と放電対向電極５２との間に電圧印加回路１２によって高電圧（本実施形態では、−３ｋＶ〜−５ｋＶ）を印加することで放電（コロナ放電等）を生じさせるものである。
【００４２】
本実施形態では、放電極５１は針状に形成されており、放電対向電極５２は放電極５１の先端側に離間配置した環状かつ板状の部材として形成されている。
【００４３】
また、ミスト生成部５０として、放電極５１を冷却するための冷却装置５３と、当該冷却装置５３によって放電極５１を冷却する際に発生する熱を放熱する放熱フィン５４と、を備える静電霧化装置を用いている。
【００４４】
具体的には、ミスト生成部５０は、冷却装置５３としてのペルチェ素子５３ａおよび熱伝導性を有する部材（例えば金属部材等）からなる冷却板５３ｂとを含んでおり、ペルチェ素子５３ａによって冷却された冷却板５３ｂの表面に空気中の水分を結露させ、結露水を生じるようになっている。そして、ミスト生成部５０の上流側には、冷却板５３ｂを冷却する際に発生する熱を放熱する放熱フィン５４が設けられている。かかる構成では、供給された水、すなわち結露水が、放電作用によって微粒化され、ナノメータサイズの非常に細かいミスト（マイナスイオンを含むマイナスに帯電されたミスト）が生成される。
【００４５】
また、金属微粒子生成部３０，４０およびミスト生成部５０は、内筒６の上壁６ｆから突設された固定リブ（固定部材）６ｇに載置することで、金属微粒子生成部３０，４０およびミスト生成部５０が内筒６の上方に固定されている。
【００４６】
なお、固定リブ６ｇの形状や突出位置を様々に設定することで、空洞（分岐流路）９を流れる風の風向や風量を所望の量とすることが可能である。すなわち、固定リブ６ｇは、空洞（分岐流路）９を流れる風の風向や風量を制御する制御手段として利用することができる。
【００４７】
ここで、本実施形態では、ミスト吹出口２０ｃの周辺部２０ｄに、金属微粒子吹出口（イオン吹出口）２０ａ，２０ｂを形成している。
【００４８】
具体的には、ミスト吹出口２０ｃの周辺部２０ｄを、正面視（ミスト吹出口２０ｃを正面から視た状態）で、ミスト吹出口２０ｃを通る任意の仮想線（本実施形態では、ヘアドライヤ１の上下方向に延在する線）Ｌによって第１の領域Ｒ１と第２の領域Ｒ２とに区画している。
【００４９】
そして、２つ（複数）の金属微粒子吹出口（イオン吹出口）２０ａ，２０ｂが、第１の領域Ｒ１に形成された金属微粒子吹出口（イオン吹出口）２０ａと第２の領域Ｒ２に形成された金属微粒子吹出口（イオン吹出口）２０ｂとを有するようにしている。
【００５０】
すなわち、ミスト吹出口２０ｃの周辺部２０ｄにおけるミスト吹出口２０ｃを通る任意の仮想線Ｌによって区画される第１の領域Ｒ１に金属微粒子吹出口（イオン吹出口）２０ａを形成している。そして、ミスト吹出口２０ｃの周辺部２０ｄにおけるミスト吹出口２０ｃを通る任意の仮想線Ｌによって区画される第２の領域Ｒ２に金属微粒子吹出口（イオン吹出口）２０ｂを形成している。
【００５１】
さらに、金属微粒子吹出口（第１の領域Ｒ１に形成されたイオン吹出口のいずれか１つのイオン吹出口）２０ａと金属微粒子吹出口（第２の領域Ｒ２に形成されたイオン吹出口のいずれか１つのイオン吹出口）２０ｂとを、ミスト吹出口２０ｃが中心となるように並設している。
【００５２】
すなわち、カバー２０には、金属微粒子吹出口２０ａ、２０ｂおよびミスト吹出口２０ｃが、ヘアドライヤ１の幅方向（図３の左右方向）に、金属微粒子吹出口２０ａ、ミスト吹出口２０ｃ、金属微粒子吹出口２０ｂの順に並ぶように形成されている。
【００５３】
さらに、ミスト吹出口２０ｃの下流側には、第１の整流部が設けられている。本実施形態では、ミスト吹出口２０ｃの下流側かつ下方に、ミストの吹き出し方向に延在するように設けた壁部２０ｅを第１の整流部としている。
【００５４】
また、金属微粒子生成部３０，４０およびミスト生成部５０は、空洞９内でヘアドライヤ１の幅方向（図７の左右方向）に、金属微粒子生成部３０、ミスト生成部５０、金属微粒子生成部４０の順に並列に配置されている。
【００５５】
そして、ミスト生成部５０と、当該ミスト生成部５０と隣り合う金属微粒子生成部（マイナスイオン生成部）３０、４０との間には、遮蔽板（仕切部）６ｄが設けられている。そして、図５および図７に示すように、遮蔽板６ｄを、ヘアドライヤ１の上下方向およびミストの吹き出し方向（図７の左右方向）に延在するように配置することで、金属微粒子やミストが金属微粒子吹出口２０ａ、２０ｂおよびミスト吹出口２０ｃから吹き出される前に混合してしまうのを抑制している。
【００５６】
以上、説明したように、本実施形態では、ミスト吹出口２０ｃの周辺部２０ｄにおけるミスト吹出口２０ｃを通る任意の仮想線Ｌによって区画される第１の領域Ｒ１と第２の領域Ｒ２とに、少なくとも１つのイオン吹出口がそれぞれ形成されるようにしている。
【００５７】
すなわち、ミスト吹出口２０ｃの周辺部２０ｄにおけるミスト吹出口２０ｃを通る任意の仮想線Ｌによって区画される第１の領域Ｒ１に金属微粒子吹出口（イオン吹出口）２０ａを形成している。そして、ミスト吹出口２０ｃの周辺部２０ｄにおけるミスト吹出口２０ｃを通る任意の仮想線Ｌによって区画される第２の領域Ｒ２に金属微粒子吹出口（イオン吹出口）２０ｂを形成している。
【００５８】
そのため、第１の領域Ｒ１に形成された金属微粒子吹出口（イオン吹出口）２０ａおよび第２の領域Ｒ２に形成された金属微粒子吹出口（イオン吹出口）２０ｂから吹き出されるマイナスイオンの電荷によって、ミストが離散してしまうのを抑制することができる。具体的には、ミストはマイナスに帯電しているため、図９に示すように、ミスト吹出口２０ｃの周辺部２０ｄに形成された金属微粒子吹出口（イオン吹出口）２０ａ、２０ｂから吹き出されるマイナスイオンによって、ミストが外側へ拡散（離散）してしまうのが抑制される。
【００５９】
その結果、ミストの直進性が向上してミストが髪に届きやすくなり、髪ケア効果をより高めることができる。
【００６０】
また、本実施形態では、金属微粒子吹出口（第１の領域Ｒ１に形成されたイオン吹出口のいずれか１つのイオン吹出口）２０ａと金属微粒子吹出口（第２の領域Ｒ２に形成されたイオン吹出口のいずれか１つのイオン吹出口）２０ｂとを、ミスト吹出口２０ｃが中心となるように並設している。すなわち、ミスト吹出口２０ｃの両端に、ミスト吹出口２０ｃを挟むように金属微粒子吹出口２０ａ、２０ｂが形成されている。そのため、ミストが外側へ拡散（離散）してしまうのをより一層抑制することができ、髪ケア効果をより一層高めることができる。
【００６１】
また、本実施形態では、ミスト吹出口２０ｃの下流側かつ下方に、ミストの吹き出し方向に延在するように壁部（第１の整流部）２０ｅを設けている。そのため、ミスト吹出口２０ｃから吹き出されたミストが下方に拡散（離散）してしまうのを抑制することができる。その結果、ミストが外側へ拡散（離散）してしまうのをより一層抑制することができ、髪ケア効果をより一層高めることができる。
【００６２】
さらに、本実施形態では、ミスト生成部５０と、当該ミスト生成部５０と隣り合う金属微粒子生成部（マイナスイオン生成部）３０、４０との間に、遮蔽板（仕切部）６ｄを設けることで、金属微粒子やミストが金属微粒子吹出口２０ａ、２０ｂおよびミスト吹出口２０ｃから吹き出される前に混合してしまうのを抑制している。その結果、ミストとマイナスイオンとが空洞９内部で電気的な影響を受け合ってしまうのを抑制することができ、それぞれの吹出し量が減少してしまうことを抑制することができる。
【００６３】
以上、本発明の好適な実施形態について説明したが、本発明は上記実施形態には限定されず、種々の変形が可能である。
【００６４】
例えば、図１０に示すように、ミスト吹出口２０ｃの上流側に第２の整流部としての延設壁部２０ｆを設けるようにしてもよい。
【００６５】
図１０では、延設壁部２０ｆは、ミスト吹出口２０ｃの下方からミスト生成部５０の下方にかけて、延在するように設けられている。
【００６６】
こうすれば、ミスト吹出口２０ｃの下方を通過した分岐流Ｗ２がカバー２０や固定リブ（固定部材）６ｇにあたり、ミスト吹出口２０ｃの下方で乱流が生じてしまうのを抑制することができる。したがって、ミスト吹出口２０ｃの下方で生じた乱流によって、ミストが上方に拡散してしまうのを抑制することができ、ミストの吹出し量が減少してしまうのを抑制することができる。また、ミスト吹出口２０ｃから吹き出したミストが乱流によって、ミストが上方に拡散してしまうのを抑制することもでき、ミストの直進性が向上してミストが髪に届きやすくなり、髪ケア効果をより高めることができるようになる利点もある。また、延設壁部２０ｆを設けることで、分岐流Ｗ２と分岐流Ｗ３との分岐もよりスムーズに行うことができるようになる。
【００６７】
なお、延設壁部２０ｆは、金属微粒子吹出口（イオン吹出口）２０ａ、２０ｂの上流側にも設けるのが好適である。
【００６８】
また、図１１に示すように、放熱フィン５４に分流手段としての凸部５４ａを設けるようにしてもよい。本実施形態では、凸部５４ａは、上流側に突出する三角形状となるように形成されている。また、凸部５４ａは、放熱フィン５４の複数の板部のそれぞれに形成されている。このように、放熱フィン５４の複数の板部のそれぞれに、上流側に突出する三角形状の凸部５４ａを形成することで、放熱フィン５４による放熱効果を損なうことなく、分岐流Ｗ２を、ヘアドライヤ１の幅方向両側に均等に分流させることができる。その結果、金属微粒子生成部（マイナスイオン生成部）３０、４０へ送られる風量が増大して、ミストの直進性をより一層向上させることができるようになる。
【００６９】
なお、放熱フィン５４の各板ごとに凸部を形成するのではなく、放熱フィン５４の上流側全体に三角柱状の凸部（別体に形成したもの）を取り付けることで、分岐流Ｗ２を左右に分流させるようにしてもよい。
【００７０】
また、凸部５４ａの形状を適宜設定することで、金属微粒子生成部（マイナスイオン生成部）３０、４０へ送られる風量を調整することが可能となる。図１１では、同じ形状の金属微粒子生成部（マイナスイオン生成部）３０、４０を用い、凸部５４ａの形状を、左右対称となるように形成している。こうすることで、分岐流Ｗ２を両サイドに適切に別れさせて、金属微粒子吹出口（イオン吹出口）２０ａ、２０ｂから吹き出される風のバランスをとり、ミストの直進性を維持できるようにしている。
【００７１】
また、上記実施形態では、仮想線Ｌを上下方向に延在するように引いて、ミスト吹出口２０ｃの左右に金属微粒子吹出口（イオン吹出口）２０ａ、２０ｂが形成されたものを例示したが、仮想線Ｌを横に引いて上下に領域を分割し、金属微粒子吹出口（イオン吹出口）２０ａ、２０ｂをミスト吹出口２０ｃの上下に形成するようにしてもよい。
【００７２】
また、上記実施形態では、ミスト吹出口や金属微粒子吹出口（イオン吹出口）の形状が円形のものを例示したが、円形のものに限らず、楕円形、半円形、長孔形状等様々な形状とすることができる。
【００７３】
また、上記実施形態では、マイナスイオン生成部として、金属微粒子およびマイナスイオンを生成する金属微粒子生成部を例示したが、金属微粒子は生成せず、単にマイナスイオンを生成するものを用いてもよい。
【００７４】
また、上記実施形態では、ミスト生成部およびマイナスイオン生成部として放電極（第１電極）と対向する放電対向電極（第２電極）を有するものを例示したが、第２電極を放電極（第１電極）と対向しない位置に設けたものを用いてもよいし、第２電極を設けないものを用いてもよい。
【００７５】
また、上記実施形態では、金属微粒子吹出口（イオン吹出口）を２つ形成したものを例示したが、金属微粒子吹出口（イオン吹出口）を３つ以上形成することも可能である。例えば、金属微粒子吹出口（イオン吹出口）を３つもしくは４つ形成する場合、図１２に示すように、配置させることができる。なお、金属微粒子吹出口（イオン吹出口）を３つ以上形成する場合、それぞれの金属微粒子吹出口（イオン吹出口）を、ミスト吹出口の周囲に形成するのが好適である。
【００７６】
また、上記実施形態では、分岐流によって、金属微粒子およびミストを吹き出すようにしたものを例示したが、分岐流がない場合でも、金属微粒子およびミストを対応する吹出口から吹き出すことができる。
【００７７】
また、ヘアブラシ、ヘアアイロン等他の髪ケア装置にあっても、本発明を実施することができる。
【００７８】
また、カバーやケース、その他細部のスペック（形状、大きさ、レイアウト等）も適宜に変更可能である。
【符号の説明】
【００７９】
１  ヘアドライヤ（髪ケア装置）
６ｄ  遮蔽板（仕切部）
２０ａ  ミスト吹出口
２０ｂ，２０ｃ  金属微粒子吹出口（イオン吹出口）
２０ｄ  周辺部
２０ｅ  壁部（第１の整流部）
２０ｆ  延設壁部（第２の整流部）
３０，４０  金属微粒子生成部（マイナスイオン生成部）
５０  ミスト生成部
５１  放電極
５３  冷却装置
５４  放熱フィン
５４ａ  凸部（分流手段）
Ｌ  仮想線
Ｒ１  第１の領域
Ｒ２  第２の領域
【図１】
0005820971.tif 000002
【図２】
0005820971.tif 000003
【図３】
0005820971.tif 000004
【図４】
0005820971.tif 000005
【図５】
0005820971.tif 000006
【図６】
0005820971.tif 000007
【図７】
0005820971.tif 000008
【図８】
0005820971.tif 000009
【図９】
0005820971.tif 000010
【図１０】
0005820971.tif 000011
【図１１】
0005820971.tif 000012
【図１２】
0005820971.tif 000013